(57)【要約】      （修正有）【課題】競技用ネットを張設した後に、その競技用ネットのアンダーロープに対する張力を保持しつつ、このアンダーロープから容易に取り外すことのできるアンダーロープ張力負荷用具、競技用ネット張設構造及び競技用ネット張設方法を提供する。【解決手段】アンダーロープ張力負荷用具１が張力負荷用具本体２と、本体解放補助紐とを備え、張力負荷用具本体２はひばり結びによってアンダーロープに結び付き、かつ、競技用ネットから離れる向きに引っ張られることにより張力を負荷することができ、ひばり結びは、張力負荷用具本体２が本体解放補助紐を介して引っ張られることにより解けることを特徴とする。【選択図】図９
2019097966.tif 000002
【特許請求の範囲】
【請求項１】
正面視において略長方形であり、かつ、コートに立設される一対の支柱間に張られる競技用ネットの下辺に沿って配設されるアンダーロープであって、前記下辺からはみ出した一端側が二股に分岐し、かつ、この分岐箇所に結び目を有するとともに、同じくはみ出した他端側が第１の前記支柱に固定されるアンダーロープに対し、前記下辺方向の張力を負荷するためのアンダーロープ張力負荷用具であって、
紐状であり、かつ、それぞれ第１の輪形に形成される引手部を両端に有する張力負荷用具本体と、
紐状であり、かつ、第２の輪形に形成される本体接続部を先端に有するとともに、前記張力負荷用具本体の長手方向の中央部が前記第２の輪形を貫通することにより前記張力負荷用具本体と接続する本体解放補助紐とを備え、
前記張力負荷用具本体は、前記中央部が、ひばり結びによって前記アンダーロープの前記結び目よりも前記他端側に結び付き、かつ、前記結び目と共に前記競技用ネットから離れる向きに引っ張られることにより前記張力を負荷することができ、
前記ひばり結びは、前記中央部が前記本体解放補助紐を介して前記の結び付き箇所から離れる向きに引っ張られることにより解ける
ことを特徴とするアンダーロープ張力負荷用具。
【請求項２】
前記各輪形は、さつま編み込みにより形成される
ことを特徴とする請求項１に記載のアンダーロープ張力負荷用具。
【請求項３】
紐状であり、かつ、環状接続体を介して前記引手部に脱着可能な延長具を備える
ことを特徴とする請求項１または２に記載のアンダーロープ張力負荷用具。
【請求項４】
コートに立設される一対の支柱と、
正面視において略長方形であり、かつ、前記一対の支柱間に張られる競技用ネットと、
前記競技用ネットの下辺に沿って配設されるとともに、前記下辺からはみ出した一端側が二股に分岐し、かつ、この分岐箇所に結び目を有するアンダーロープと、
該アンダーロープに対して前記下辺方向の張力を負荷するためのアンダーロープ張力負荷用具とを備える競技用ネット張設構造であって、
前記アンダーロープ張力負荷用具は、紐状であり、かつ、それぞれ第１の輪形に形成される引手部を両端に有する張力負荷用具本体と、紐状であり、かつ、第２の輪形に形成される本体接続部を先端に有するとともに、前記張力負荷用具本体の長手方向の中央部が前記第２の輪形を貫通することにより前記張力負荷用具本体と接続する本体解放補助紐とを備え、
前記アンダーロープの同じくはみ出した他端側が第１の前記支柱に固定される一方で、前記張力負荷用具本体は、前記中央部が、ひばり結びによって前記アンダーロープの前記結び目よりも前記他端側に結び付き、かつ、前記結び目と共に前記競技用ネットから離れる向きに引っ張られることにより前記張力を負荷することができ、
前記ひばり結びは、前記中央部が前記本体解放補助紐を介して前記の結び付き箇所から離れる向きに引っ張られることにより解ける
ことを特徴とする競技用ネット張設構造。
【請求項５】
前記各輪形は、さつま編み込みにより形成される
ことを特徴とする請求項４に記載の競技用ネット張設構造。
【請求項６】
紐状であり、かつ、環状接続体を介して前記引手部に脱着可能な延長具を備え、
前記中央部は、前記延長具を介して前記競技用ネットから離れる向きに引っ張られる
ことを特徴とする請求項４または５に記載の競技用ネット張設構造。
【請求項７】
正面視において略長方形の競技用ネットを、コートに立設される一対の支柱間に張る際に、前記競技用ネットの下辺に沿って配設され、かつ、前記下辺からはみ出した一端側が結び目を境に二股に分岐するアンダーロープに対し、前記下辺方向の張力を負荷する競技用ネット張設方法であって、
紐状であり、かつ、それぞれ第１の輪形に形成される引手部を両端に有する張力負荷用具本体と、紐状であり、かつ、第２の輪形に形成される本体接続部を先端に有するとともに、前記張力負荷用具本体の長手方向の中央部が前記第２の輪形を貫通することにより前記張力負荷用具本体と接続する本体解放補助紐とを備えるアンダーロープ張力負荷用具を用意する準備工程と、
前記競技用ネットのケーブルを第１の前記支柱と第２の前記支柱との間に渡すとともに、前記アンダーロープの同じくはみ出した他端側を前記第１の支柱に固定する他端側固定工程と、
前記中央部をひばり結びによって前記アンダーロープの前記結び目よりも前記他端側に結び付けることにより、前記アンダーロープ張力負荷用具を前記アンダーロープに取り付ける用具取付け工程と、
前記中央部を前記結び目と共に前記競技用ネットから離れる向きに引っ張ることにより前記張力を負荷するとともに、前記一端側を緊縛することにより前記第２の支柱に固定する一端側固定工程と、
前記中央部を前記本体解放補助紐を介して前記の結び付き箇所から離れる向きに引っ張ることにより、前記ひばり結びを解くひばり結び解放工程と、
前記アンダーロープから前記アンダーロープ張力負荷用具を取り外す用具取外し工程とを含む
ことを特徴とする競技用ネット張設方法。
【請求項８】
前記アンダーロープ張力負荷用具は紐状の延長具を備え、
前記用具取付け工程は、前記中央部を前記アンダーロープに結び付けた後に、前記環状接続体を介して前記延長具を前記引手部に接続する工程を含み、
前記一端側固定工程においては、前記中央部を前記引手部側から前記延長具を介して前記競技用ネットから離れる向きに引っ張り、
前記ひばり結び解放工程は、前記中央部を前記本体解放補助紐を介して引っ張る前に、前記延長具を前記張力負荷用具本体から取り外す工程を含む
ことを特徴とする請求項７に記載の競技用ネット張設方法。
【発明の詳細な説明】
【技術分野】
【０００１】
本発明は、競技用ネットのアンダーロープに対して張力を負荷するためのアンダーロープ張力負荷用具、アンダーロープ張力負荷用具を備える競技用ネット張設構造及びアンダーロープに対して張力を負荷する競技用ネット張設方法に関する。
【背景技術】
【０００２】
従来、正面視において略長方形であり、かつ、コートに立設される一対の支柱間に張られる競技用ネットの下辺に沿って配設されるアンダーロープに対し、滑車を用いて前記下辺方向の張力を負荷する滑車式アンダーロープ張力負荷用具がある（特許文献１）。
【０００３】
滑車式アンダーロープ張力負荷用具９１は、図１７が示すように、バレーボール用ネット９２の下辺に沿って配設されるアンダーロープ９３側に軸支される複数の滑車９４と、支柱９５側にそれぞれ軸支される複数の滑車９６と、これらの滑車９４，９６に掛け回された滑車用ロープ９７とを備え、アンダーロープ９３側の滑車９４が、アンダーロープ９３の一端をそのロープ方向において支柱９５に近づく向きに引き寄せられることにより、アンダーロープ９３に前記下辺方向の張力を負荷することができる。
【０００４】
バレーボール用ネット９２をはじめとする競技用ネットは、その上辺に沿って配設されるケーブルに対して、ハンドル付きのウインチによって比較的容易にケーブル方向の張力を負荷することができる。その一方で、強度が足りなくなるため支柱には貫通孔を開けることができず、下辺に沿って配設されるアンダーロープ９３に対して、ウインチなどを用いてロープ方向の張力を負荷することができない。
【０００５】
そのため、アンダーロープ９３に対して直接に手指によって張力を負荷する場合には、アンダーロープ９３を手指で掴み、ロープ方向に引っ張るために多大な力を必要とし、かつ、アンダーロープ９３の表面に対して面方向の摩擦力を加えなければならない。しかも、引っ張っている者とは別の者がアンダーロープ９３の先端を支柱９５に巻き付けて固定するために、その間じゅう、このような力を加え続けなければならない。
【０００６】
これに対し、滑車式アンダーロープ張力負荷用具９１によっては、滑車用ロープ９７の先端を引っ張ることにより、その複数倍の力によってアンダーロープ９３が引き寄せられるため、アンダーロープ９３を手指で掴んで引っ張る場合に比べ、小さな力で必要な張力を負荷することができる。
【先行技術文献】
【特許文献】
【０００７】
【特許文献１】登録実用新案第３２０８４１１号公報
【発明の概要】
【発明が解決しようとする課題】
【０００８】
ところで、バレーボールをはじめとする、競技用ネットを用いるボール競技においては、コート外であっても、図１８のバレーボール用ネットの例に示すような支柱とサイドラインとの間のプレー領域ＰＺに選手が立ち入り、支柱やネットの支柱側端の間際でのプレーを行う。そのため、選手がこれらの器具に触れても怪我をしないように、プレー中には、支柱とネットとの間にアンダーロープ以外の付属具などが取り付けられていない構造でなければならない。
【０００９】
なお、図１８の基となった規格図は、日本バレーボール協会が発行する２０１７年度版ルールブックから引用した。
【００１０】
これに対し、滑車式アンダーロープ張力負荷用具９１は、バレーボール用ネット９２が張設されてから取り外されるまでの間、アンダーロープ９３に対する張力を保持するため、滑車ロープ９７がアンダーロープ９３側及び支柱９５側のそれぞれの滑車９４，９６間に掛け回され続けねばならない。
【００１１】
すなわち、プレー中にもかかわらず、滑車９４，９６がアンダーロープ９３側及び支柱９５側に固定され続けねばならず、選手は滑車９４，９６に触れて怪我をする虞がある。
【００１２】
また、ボール競技のコートは、競技場や体育館のような施設の中に、複数面が設置されることが多い。そのため、アンダーロープ張力負荷用具は、複数面のコートに同時に張られる競技用ネットのそれぞれのアンダーロープに対して張力を負荷しなければならない。
【００１３】
これに対し、滑車式アンダーロープ張力負荷用具９１は、一の面のコートに張られるバレーボール用ネット９２が張設されてから取り外されるまでの間、この一の面のコートのアンダーロープ９３に対する張力を保持し続けるため、他の面のコートに張られるバレーボール用ネットに用いることができない。
【００１４】
本発明はこのような問題に鑑み、競技用ネットを張設した後に、その競技用ネットのアンダーロープに対する張力を保持しつつ、このアンダーロープから容易に取り外すことのできるアンダーロープ張力負荷用具、競技用ネット張設構造及び競技用ネット張設方法を提供することを目的とする。
【課題を解決するための手段】
【００１５】
（１）本発明は、正面視において略長方形であり、かつ、コートに立設される一対の支柱間に張られる競技用ネットの下辺に沿って配設されるアンダーロープであって、前記下辺からはみ出した一端側が二股に分岐し、かつ、この分岐箇所に結び目を有するとともに、同じくはみ出した他端側が第１の前記支柱に固定されるアンダーロープに対し、前記下辺方向の張力を負荷するためのアンダーロープ張力負荷用具であって、紐状であり、かつ、それぞれ第１の輪形に形成される引手部を両端に有する張力負荷用具本体と、紐状であり、かつ、第２の輪形に形成される本体接続部を先端に有するとともに、前記張力負荷用具本体の長手方向の中央部が前記第２の輪形を貫通することにより前記張力負荷用具本体と接続する本体解放補助紐とを備え、前記張力負荷用具本体は、前記中央部が、ひばり結びによって前記アンダーロープの前記結び目よりも前記他端側に結び付き、かつ、前記結び目と共に前記競技用ネットから離れる向きに引っ張られることにより前記張力を負荷することができ、前記ひばり結びは、前記中央部が前記本体解放補助紐を介して前記の結び付き箇所から離れる向きに引っ張られることにより解けることを特徴とするアンダーロープ張力負荷用具を提供するものである。
【００１６】
すなわち、本発明のアンダーロープ張力負荷用具は、張力負荷用具本体の中央部がアンダーロープの結び目の他端側に巻き付き、複数の操作者のうちの二人の引手担当者が、それぞれ前記張力負荷用具本体の各引手部を引くことによって、前記アンダーロープに対して競技用ネットの下辺方向の張力を負荷することができる。そして、アンダーロープ張力負荷用具によって前記張力が負荷されている間に、前記複数の操作者のうちの一人の固定担当者は、前記アンダーロープの先端を支柱に固定することができる。
【００１７】
このとき、アンダーロープ張力負荷用具は、ひばり結びによって前記アンダーロープに結び付く。そのため、前記アンダーロープを前記支柱に固定した後に、前記操作者は、このひばり結びを解くことによって、アンダーロープ張力負荷用具を容易に前記アンダーロープから取り外すことができる。
【００１８】
このように、本発明のアンダーロープ張力負荷用具は、前記アンダーロープに対する張力が保持された状態で、前記アンダーロープから外れることができる。その結果、競技用ネットを張設した後は、アンダーロープに張力を負荷するための付属具などが支柱と前記競技用ネットとの間に残ることがない。また、一組の前記アンダーロープ張力負荷用具は、一の面に張られる競技用ネットを張設した後に取り外され、次に、他の面に張られる競技用ネットを張設するために用いることができる。
【００１９】
さらに、本体解放補助紐が前記張力負荷用具本体の中央部に接続されるため、前記操作者は、この本体解放補助紐を引っ張ることによって前記ひばり結びを解くことができ、より容易に前記アンダーロープ張力負荷用具を前記アンダーロープから取り外すことができる。
【００２０】
（２）また、本発明のアンダーロープ張力負荷用具において、前記各輪形は、さつま編み込みにより形成されていてもよい。
【００２１】
すなわち、第１の輪形及び第２の輪形がさつま編み込みによってそれぞれ形成されることにより、強度の高い輪形を得ることができる。これにより、前記各輪形の崩れる虞が少なく、前記操作者は、より容易に前記競技用ネットの張設及び前記アンダーロープ張力負荷用具の取外しを行うことができる。
【００２２】
（３）また、本発明のアンダーロープ張力負荷用具は、紐状であり、かつ、環状接続体を介して前記引手部に脱着可能な延長具を備えていてもよい。
【００２３】
すなわち、前記二人の引手担当者は、環状接続体及び延長具を介して前記張力負荷用具本体を引くことができる。そして、前記環状接続体は前記張力負荷用具本体に対して脱着可能である。
【００２４】
ところで、前記二人の引手担当者が、前記アンダーロープに対し前記競技用ネットの下辺方向の張力を負荷するため、この下辺の延長線上で作業をしたのでは、前記延長線上に立設される前記支柱及び前記支柱近くに立つ前記固定担当者が邪魔である。そのため、アンダーロープ張力負荷用具は、平面視において前記中央部を頂点とし、かつ、前記競技用ネットから離れる向きに開口するＶ字状を描くように配置される。
【００２５】
このとき、前記中央部から両端までが短いと、たとえ前記Ｖ字状を描くように配置しても、前記各引手担当者と前記支柱又は前記固定担当者との距離が近く、作業がし難いため、アンダーロープ張力負荷用具は、一端から他端までの長さが十分に確保されていなければならない。
【００２６】
そこで、前記操作者は、前記張力負荷用具本体をひばり結びによって前記アンダーロープに巻き付けた後に前記延長具を前記張力負荷用具本体に装着し、かつ、前記ひばり結びを解き、前記張力負荷用具本体を前記アンダーロープから取り外す前に予め前記延長具を前記張力負荷用具本体から離脱させる。
【００２７】
そのため、本発明のアンダーロープ張力負荷用具によって、前記各引手担当者が引く時の一端から他端までの長さが前記延長具により補われると同時に、ひばり結びの後及びひばり結びを解く前に予め前記延長具を取り外すことにより、前記中央部と前記アンダーロープとが構成する通し穴に対して、全体の長さのうち前記延長具の長さ分を通過させる必要をなくすことができる。
【００２８】
このように、本発明のアンダーロープ張力負荷用具は、前記アンダーロープに対して、より容易に取り付け及び取り外しを行うことができる。
【００２９】
（４）本発明は、コートに立設される一対の支柱と、正面視において略長方形であり、かつ、前記一対の支柱間に張られる競技用ネットと、前記競技用ネットの下辺に沿って配設されるとともに、前記下辺からはみ出した一端側が二股に分岐し、かつ、この分岐箇所に結び目を有するアンダーロープと、該アンダーロープに対して前記下辺方向の張力を負荷するためのアンダーロープ張力負荷用具とを備える競技用ネット張設構造であって、前記アンダーロープ張力負荷用具は、紐状であり、かつ、それぞれ第１の輪形に形成される引手部を両端に有する張力負荷用具本体と、紐状であり、かつ、第２の輪形に形成される本体接続部を先端に有するとともに、前記張力負荷用具本体の長手方向の中央部が前記第２の輪形を貫通することにより前記張力負荷用具本体と接続する本体解放補助紐とを備え、  前記アンダーロープの同じくはみ出した他端側が第１の前記支柱に固定される一方で、前記張力負荷用具本体は、前記中央部が、ひばり結びによって前記アンダーロープの前記結び目よりも前記他端側に結び付き、かつ、前記結び目と共に前記競技用ネットから離れる向きに引っ張られることにより前記張力を負荷することができ、前記ひばり結びは、前記中央部が前記本体解放補助紐を介して前記の結び付き箇所から離れる向きに引っ張られることにより解けることを特徴とする競技用ネット張設構造を提供するものである。
【００３０】
すなわち、本発明の競技用ネット張設構造は、アンダーロープに対する張力が保持された状態で、アンダーロープ張力負荷用具が前記アンダーロープから外れることを可能とする。その結果、競技用ネットを張設した後は、アンダーロープに張力を保持するための付属具などを支柱と前記競技用ネットとの間に残すことがない。
【００３１】
また、本発明の競技用ネット張設構造が適用されることにより、一組の前記アンダーロープ張力負荷用具を用いて、一の面に張られる競技用ネットを張設した後に、前記一の面から取り外し、次に他の面に張られる競技用ネットを張設することができる。
【００３２】
さらに、本体解放補助紐が前記張力負荷用具本体の中央部に接続されるため、操作者は、この本体解放補助紐を引っ張ることによって前記ひばり結びを解くことができ、容易に前記アンダーロープ張力負荷用具を前記アンダーロープから取り外すことができる。
【００３３】
（５）また、本発明の競技用ネット張設構造において、前記各輪形は、さつま編み込みにより形成されていてもよい。
【００３４】
すなわち、第１の輪形及び第２の輪形がさつま編み込みによってそれぞれ形成されることにより、強度の高い輪形を得ることができる。これにより、前記各輪形の崩れる虞が少なく、前記操作者は、より容易に前記競技用ネットの張設及び前記アンダーロープ張力負荷用具の取外しを行うことができる。
【００３５】
（６）また、本発明の競技用ネット張設構造において、紐状であり、かつ、環状接続体を介して前記引手部に脱着可能な延長具を備え、前記中央部は、前記延長具を介して前記競技用ネットから離れる向きに引っ張られてもよい。
【００３６】
すなわち、本発明の競技用ネット張設構造は、張力を負荷する時のアンダーロープ張力負荷用具の長さを延長具によって補うと同時に、ひばり結びの後及びひばり結びを解く前に前記延長具を取り外すことにより、前記中央部と前記アンダーロープとが構成する通し穴に対して、前記アンダーロープ張力負荷用具のうちの前記延長具の長さ分を通過させる必要をなくすことができる。
【００３７】
このように、本発明の競技用ネット張設構造は、前記アンダーロープ張力負荷用具の、前記アンダーロープに対するより容易な取り付け及び取り外しを可能とする。
【００３８】
（７）本発明は、正面視において略長方形の競技用ネットを、コートに立設される一対の支柱間に張る際に、前記競技用ネットの下辺に沿って配設され、かつ、前記下辺からはみ出した一端側が結び目を境に二股に分岐するアンダーロープに対し、前記下辺方向の張力を負荷する競技用ネット張設方法であって、  紐状であり、かつ、それぞれ第１の輪形に形成される引手部を両端に有する張力負荷用具本体と、紐状であり、かつ、第２の輪形に形成される本体接続部を先端に有するとともに、前記張力負荷用具本体の長手方向の中央部が前記第２の輪形を貫通することにより前記張力負荷用具本体と接続する本体解放補助紐とを備えるアンダーロープ張力負荷用具を用意する準備工程と、前記競技用ネットのケーブルを第１の前記支柱と第２の前記支柱との間に渡すとともに、前記アンダーロープの同じくはみ出した他端側を前記第１の支柱に固定する他端側固定工程と、前記中央部をひばり結びによって前記アンダーロープの前記結び目よりも前記他端側に結び付けることにより、前記アンダーロープ張力負荷用具を前記アンダーロープに取り付ける用具取付け工程と、前記中央部を前記結び目と共に前記競技用ネットから離れる向きに引っ張ることにより前記張力を負荷するとともに、前記一端側を緊縛することにより前記第２の支柱に固定する一端側固定工程と、前記中央部を前記本体解放補助紐を介して前記の結び付き箇所から離れる向きに引っ張ることにより、前記ひばり結びを解くひばり結び解放工程と、前記アンダーロープから前記アンダーロープ張力負荷用具を取り外す用具取外し工程とを含むことを特徴とする競技用ネット張設方法を提供するものである。
【００３９】
すなわち、本発明の競技用ネット張設方法により、アンダーロープを支柱に緊縛し、前記アンダーロープに対する張力を保持した状態で、アンダーロープ張力負荷用具を前記アンダーロープから取り外すことができる。その結果、本発明の競技用ネット張設方法により競技用ネットを張設した後に、アンダーロープに張力を負荷するための付属具などが前記支柱と前記競技用ネットとの間に残ることがない。
【００４０】
また、本発明の競技用ネット張設方法により、一の面に張られる競技用ネットを張設した後に、同じ前記アンダーロープ張力負荷用具を用いて、他の面に張られる競技用ネットを張設することができる。
【００４１】
さらに、本発明のひばり結び解放工程及び用具取外し工程において、本体解放補助紐を引っ張ることによってひばり結びを解くことができ、容易に前記アンダーロープから前記アンダーロープ張力負荷用具を取り外すことができる。
【００４２】
（８）また、本発明の競技用ネット張設方法において、前記アンダーロープ張力負荷用具は紐状の延長具を備え、前記用具取付け工程は、前記中央部を前記アンダーロープに結び付けた後に、前記環状接続体を介して前記延長具を前記引手部に接続する工程を含み、前記一端側固定工程においては、前記中央部を前記引手部側から前記延長具を介して前記競技用ネットから離れる向きに引っ張り、前記ひばり結び解放工程は、前記中央部を前記本体解放補助紐を介して引っ張る前に、前記延長具を前記張力負荷用具本体から取り外す工程を含んでもよい。
【００４３】
すなわち、本発明の用具取付け工程及び用具取外し工程においては、張力を負荷する時のアンダーロープ張力負荷用具の長さを延長具によって補うと同時に、ひばり結びの後に前記延長具を接続し、かつ、ひばり結びを解く前に前記延長具を取り外すことにより、前記中央部と前記アンダーロープとが構成する通し穴に対して、前記アンダーロープ張力負荷用具のうちの前記延長具の長さ分を通過させる必要をなくすことができる。
【００４４】
このように、本発明の競技用ネット張設方法は、前記アンダーロープ張力負荷用具の、より容易な取り付け及び取り外しを可能とする。
【発明の効果】
【００４５】
本発明では、競技用ネットを張設した後に、その競技用ネットのアンダーロープに対する張力を保持しつつ、このアンダーロープから容易に取り外すことのできるアンダーロープ張力負荷用具、競技用ネット張設構造及び競技用ネット張設方法を提供することができる。
【図面の簡単な説明】
【００４６】
【図１】本発明の第１の実施形態における張設された状態の競技用ネットＮの正面図である。
【図２】本発明の第１の実施形態におけるアンダーロープ張力負荷用具１の説明図である。
【図３】本発明の第１の実施形態におけるアンダーロープ張力負荷用具１の全体図である。
【図４】本発明の第１の実施形態における本体さつま編み込み箇所２ｅの拡大写真である。
【図５】本発明の第１の実施形態における補助紐さつま編み込み箇所３ｅの拡大写真である。
【図６】本発明の第１の実施形態における競技用ネット張設方法Ｓ０１を示すフロー図である。
【図７】本発明の第１の実施形態における用具取付け工程Ｓ０４を示す写真である。
【図８】本発明の第１の実施形態における用具取付け工程Ｓ０４を示す写真である。
【図９】本発明の第１の実施形態における第２の支柱Ｐ２側固定工程Ｓ０５の説明図である。
【図１０】本発明の第１の実施形態におけるひばり結び解放工程Ｓ０６を示す写真である。
【図１１】本発明の第１の実施形態におけるひばり結び解放工程Ｓ０６を示す写真である。
【図１２】本発明の第２の実施形態におけるアンダーロープ張力負荷用具１１の全体図である。
【図１３】本発明の第２の実施形態における延長具１６ａ，１６ｂ及びスプリングフック１７の説明図である。
【図１４】本発明の第２の実施形態における競技用ネット張設方法Ｓ１１を示すフロー図である。
【図１５】本発明の第２の実施形態における用具取付け工程Ｓ１４を示す写真である。
【図１６】（ａ）（ｂ）本発明の第２の実施形態における第２の支柱Ｐ２側固定工程Ｓ１５を示す写真である。
【図１７】従来のアンダーロープ張力負荷用具（滑車式アンダーロープ張力負荷用具）の平面図である。
【図１８】張設された状態のバレーボール用ネットの一部正面図である。
【発明を実施するための形態】
【００４７】
以下、本発明の実施形態を図面に基づいて詳述する。図１に示す競技用コートＣには一対の支柱Ｐ１，Ｐ２が立設され、正面視において略長方形の競技用ネットＮが第１の支柱Ｐ１と第２の支柱Ｐ２との間に渡される。図２に、競技用ネットＮの一部と第２の支柱Ｐ２の一部とを示す。競技用コートＣ及び競技用ネットＮは、バレーボール、バドミントン等の運動競技のために用いられる。
【００４８】
そして、図２において競技用ネットＮの下辺Ｎｕの方向である第１の方向を矢印Ｘで表し、第１の方向Ｘにおいて、図２に向かって右向きをネット中央向きといい、同じく左向きをネット外側向きという。第１の方向Ｘは、平面視において競技用コートＣのサイドラインＳＬと直交する。
【００４９】
また、競技用コートＣのサイドラインＳＬと平行な方向である第２の方向を矢印Ｙで表す。第２の方向Ｙにおいて、図２の手前側を競技用ネット手前側といい、同じく奥側を競技用ネット奥側という。
【００５０】
さらに、支柱Ｐの立設方向である第３の方向を矢印Ｚで表す。第３の方向Ｚにおいて、競技用コートＣから離れる向きが上向きであり、同じく近づく向きが下向きである。
【００５１】
図１〜図１１は本発明に係るアンダーロープ張力負荷用具、競技用ネット張設構造及び競技用ネット張設方法の第１の実施形態を例示している。図２において１は、アンダーロープＵに対し第１の方向Ｘの張力を負荷するためのアンダーロープ張力負荷用具である。
【００５２】
アンダーロープＵは、第１の方向Ｘの両端が開口する、第２の方向Ｙに扁平な形状の筒状に形成された下辺Ｎｕの内側を、第１の方向Ｘに貫通する。そして、アンダーロープＵは、下辺Ｎｕから図１に示す第１の先端部Ｕ１が第１の支柱Ｐ１側にはみ出し、また、第２の先端部Ｕ２が第２の支柱Ｐ２側にはみ出す。第１の先端部Ｕ１は、縛り付けられるなどの方法により第１の支柱Ｐ１に固定される。
【００５３】
第２の先端部Ｕ２は、図２に示すように、ネット外側向きに二股に分岐する。すなわち、第２の先端部Ｕ２は分岐箇所に結び目Ｕｋを有し、かつ、結び目Ｕｋから分岐して、競技用ネット手前側から第２の支柱Ｐ２に巻き付くことのできる手前側先端部Ｕａと、競技用ネット奥側から第２の支柱Ｐ２に巻き付くことのできる奥側先端部Ｕｂとを有する。また、アンダーロープＵは４ｍｍ以上、かつ、６ｍｍ未満の直径を有する。
【００５４】
アンダーロープ張力負荷用具１は、図３が示すように張力負荷用具本体２と、本体解放補助紐３とを備える。
【００５５】
張力負荷用具本体２は、飽和ポリエステルなどの合成繊維を三つ撚りしたロープにより形成され、図３において両端が向かって左側に、これら両端間の略中央に位置する中央部２ｃが向かって右側にそれぞれ見えるように、中央部２ｃにおいてＵ字状に折り曲げられた状態で示されている。張力負荷用具本体２は、両端にそれぞれ引手部４，４を有する。
【００５６】
張力負荷用具本体２は、前記ロープの両方の先端が各引手部４，４において折り返し、折り返し後にさつま編み込みＥＳにより中央部２ｃに近づく位置において合流して輪を形成する。張力負荷用具本体２においてさつま編み込みＥＳがなされる箇所である本体さつま編み込み箇所を、図３の符号２ｅで表す。さつま編み込みＥＳとは、アイスプライス加工とも呼ばれるロープの端末加工法の一種であり、杉浦他『繊維ロープのアイスプライス、結節強さ』（２００３、尾張繊維技術センター、三河繊維技術センター）によれば、ストランド相互の摩擦力を利用した端末加工法として知られる。
【００５７】
図４に本体さつま編み込み箇所２ｅの拡大写真を示す。この箇所でのさつま編み込みＥＳは、前記各先端における三つ撚りと、各本体さつま編み込み箇所２ｅ，２ｅにおける三つ撚りとをいったんほぐし、あらためて編み直すことによりなされる。
【００５８】
また、張力負荷用具本体２は６ｍｍ以上、かつ、８ｍｍ未満の直径を有する。以下で述べるように張力負荷用具本体２がアンダーロープＵに結び付く際に、張力負荷用具本体２の直径がアンダーロープＵの直径よりも大きくないと、堅固に結び付くことができないからである。また、８ｍｍ以上のロープを用いると、嵩が大き過ぎて取り扱いにくいからである。
【００５９】
本体解放補助紐３は、飽和ポリエステルなどの合成繊維を三つ撚りしたロープにより形成され、図２の向かって左側に見える一端に本体接続部５を有する。
【００６０】
本体解放補助紐３は、前記ロープの前記一端側の先端が本体接続部５において折り返し、折り返し後にさつま編み込みＥＳにより他端に近づく位置において合流して輪を形成する。本体解放補助紐３は、本体接続部５を除いた長さが大人の手指における人差し指から小指までの４本指の幅よりもわずかに長いものであることが好ましい。本体解放補助紐３においてさつま編み込みＥＳがなされる箇所である補助紐さつま編み箇所を、図３の符号３ｅで表す。
【００６１】
図５に補助紐さつま編み込み箇所３ｅの拡大写真を示す。この箇所でのさつま編み込みＥＳは、前記先端における三つ撚りと、補助紐さつま編み箇所３ｅにおける三つ撚りとをいったんほぐし、あらためて編み直すことによりなされる。
【００６２】
各引手部４，４は、ロープが折り返されることにより第１の輪形４ａを形成する。
【００６３】
本体接続部５は、ロープが折り返されることにより第２の輪形５ａを形成する。第２の輪形５ａは、内側を中央部２ｃが貫通する。これにより、本体解放紐３が張力負荷用具本体２と接続する。このとき、張力負荷用具本体２は第２の輪形５ａの内側に遊嵌し、第２の輪形５ａの中心線方向を自在に移動することができる。
【００６４】
各引手部４，４及び本体接続部５のように、さつま編み込みＥＳによって第１の輪形４ａ，４ａ又は第２の輪形５ａがそれぞれ形成されることにより、例えばもやい結びや八の字結びのような結びに比べより強度の高い輪形を得ることができる。
【００６５】
これにより、アンダーロープＵに対する張力負荷時及びアンダーロープ張力負荷用具１の取外し時に輪形のくずれる虞が少なく、前記操作者はより容易に競技用ネットＮの張設及びアンダーロープ張力負荷用具１の取外しを行うことができる。
【００６６】
なお、下辺Ｎｕは前記の筒状に形成されなくとも、アンダーロープＵを下辺Ｎｕに沿って第１の方向Ｘに張り渡すことができる構造であればよい。例えば、アンダーロープＵが競技用ネットＮの格子のうち、第１の方向Ｘに並んだ紐体の競技用ネット手前側と競技用ネット奥側とを交互に通過するように織り込まれている構造でもよい。
【００６７】
また、各輪形４ａ，４ａ，５ａを形成する際、折り返された張力負荷用具本体２又は本体解放補助紐３がさつま編み込みＥＳにより合流させなくても、輪形の崩れる虞が少ない他の方法により合流させてもよい。例えば、縫製、テープによる縛り付けなどにより固定させてもよい。
【００６８】
次に、図６のフロー図により、競技用ネットＮの張設方法を示す。図６においてＳ０１は、アンダーロープＵに対し第１の方向Ｘの張力を負荷する競技用ネット張設方法である。
【００６９】
競技用ネット張設方法Ｓ０１は、順に、準備工程Ｓ０２、第１の支柱Ｐ１側固定工程Ｓ０３、用具取付け工程Ｓ０４、第２の支柱Ｐ２側固定工程Ｓ０５、ひばり結び解放工程Ｓ０６及び用具取外し工程Ｓ０７を含む。各工程に含まれるステップを以下の通り説明する。
【００７０】
準備工程Ｓ０２においては、張力負荷用具本体２と本体解放補助紐３とが予め接続された状態のアンダーロープ張力負荷用具１を準備する。準備工程Ｓ０２において、張力負荷用具本体２が本体接続部５に遊嵌する位置を調節し、張力負荷用具本体２と本体解放補助紐３とを、中央部２ｃが第２の輪形５ａの内側を貫通する位置に配置する。
【００７１】
第１の支柱Ｐ１側固定工程Ｓ０３においては、先ず、競技用ネットＮの図１に示す上辺Ｎｔに沿って配設されるケーブルＷが各支柱Ｐ１，Ｐ２の上端間に渡されて、各支柱Ｐ１，Ｐ２に固定される。これにより、ケーブルＷから下向きに垂れ下がる競技用ネットＮが、第１の支柱Ｐ１と第２の支柱Ｐ２との間に渡される。
【００７２】
次に、アンダーロープＵの第１の先端部Ｕ１が縛り付けられるなどの方法により第１の支柱Ｐ１に固定される。
【００７３】
用具取付け工程Ｓ０４においては、準備工程Ｓ０２により準備されたアンダーロープ張力負荷用具１をアンダーロープＵに取り付ける。
【００７４】
このとき、アンダーロープ張力負荷用具１はひばり結びによってアンダーロープＵに取り付けられる。ひばり結びとは、広辞苑第６版に掲載されるように、紐の結び方であり、吊り手や袋物のこはぜを取りつけるときなどに用いる結び方である。
【００７５】
複数の操作者Ｏ１，Ｏ２，Ｏ３のうちの、例えば図７の写真に示す一方の引手担当者Ｏ２が張力負荷用具本体２を第２の先端部Ｕ２に結び付けることにより、アンダーロープ張力負荷用具１をアンダーロープＵに取り付けられる。
【００７６】
すなわち、一方の引手担当者Ｏ２は、図３のように中央部２ｃで折り曲げられた状態のアンダーロープ張力負荷用具１を、第２の先端部Ｕ２を周方向に一周するように巻き付けるとともに、図２及び図７が示すように中央部２ｃと第２の先端部Ｕ２とが構成する通し穴Ｈに中央部２ｃ以外の張力負荷用具本体２を両方の引手部４，４から通すことによりひばり結びを行う。これにより、張力負荷用具本体２が中央部２ｃにおいて第２の先端部Ｕ２に結び付く。
【００７７】
このとき、一方の引手担当者Ｏ２は、引手部４，４を第２の先端部Ｕ２から離れる向きに引っ張りつつ、中央部２ｃが第２の先端部Ｕ２の結び目Ｕｋよりもネット中央向きの側に結び付くように調節する。すなわち、図２及び図７のような緩い状態から、図８の写真のように固く結びつく状態に至る前に、中央部２ｃを結び目Ｕｋの直ぐ隣りのネット中央向きの側に配置する。
【００７８】
これにより、以下で述べるように引手担当者Ｏ２，Ｏ３が各引手部４，４をネット外側向きに引く際に、中央部２ｃが結び目Ｕｋに引っ掛かることにより、中央部２ｃと結び目Ｕｋとが共に引っ張られ、引く力が中央部２ｃを介して直接にアンダーロープＵに伝わるためより効率的である。
【００７９】
なお、中央部２ｃが堅固に第２の先端部Ｕ２に結び付くことによって上記の引く力が十分にアンダーロープＵに伝わるのであれば、最初から中央部２ｃが結び目Ｕｋの直ぐ隣りに配置されなくともよい。次で述べる第２の支柱Ｐ２側固定工程Ｓ０５において各引手部４，４がネット外側向きに引かれる時に、中央部２ｃが移動しても結び目Ｕｋに引っ掛かって止まるからである。
【００８０】
また、アンダーロープ張力負荷用具１をアンダーロープＵに取り付ける時、必ずしも図７及び８に示すように第２の先端部Ｕ２を張った状態で取り付ける必要はなく、中央部２ｃを堅固に第２の先端部Ｕ２に結び付けることができれば、ゆるんだ状態で取り付けてもよい。
【００８１】
さらに、張力負荷用具本体２を第２の先端部Ｕ２に結び付けるのは一方の引手担当者Ｏ２でなくともよく、他方の引手担当者Ｏ３または固定担当者Ｏ１でもよい。また、これらの操作者Ｏ１，Ｏ２，Ｏ３のうち２名又は３名が協力し合って結び付けてもよい。さらに、操作者Ｏ１，Ｏ２，Ｏ３以外の物が行ってもよい。
【００８２】
第２の支柱Ｐ２側固定工程Ｓ０５においては、用具取付け工程Ｓ０４によりアンダーロープ張力負荷用具１がアンダーロープＵに取り付けられた状態で、図９に示すように、一方の引手部４を第２の先端部Ｕ２及び第２の支柱Ｐ２に対して競技用ネット手前側に配置し、他方の引手部４を第２の先端部Ｕ２及び第２の支柱Ｐ２に対して競技用ネット奥側に配置する。
【００８３】
また、各操作者Ｏ１，Ｏ２，Ｏ３は、固定担当者Ｏ１が第２の支柱Ｐ２のネット外側に立ち、一方の引手担当者Ｏ２が第２の先端部Ｕ２及び第２の支柱Ｐ２に対して競技用ネット手前側に立ち、かつ、他方の引手担当者Ｏ３が第２の先端部Ｕ２及び第２の支柱Ｐ２に対して競技用ネット奥側に立つようにそれぞれ配置につく。
【００８４】
このとき、固定担当者Ｏ１は手前側先端部Ｕａと奥側先端部Ｕｂとを持つ。また、一方の引手担当者Ｏ２は一方の引手部４を持ち、他方の引手担当者Ｏ３は他方の引手部４を持つ。
【００８５】
以上のように各操作者Ｏ１，Ｏ２，Ｏ３が配置についた状態で、各引手担当者Ｏ２，Ｏ３は引手部４をネット外側向きに引き、中央部２ｃを結び目Ｕｋと共にネット外側向きに引っ張ることにより、アンダーロープＵに第１の方向Ｘの張力を負荷する。この張力の負荷により、アンダーロープＵは、第１の支柱Ｐ１側固定工程Ｓ０３によって第１の先端部Ｕ１が第１の支柱Ｐ１に固定されているため、全体に強く張られつつネット外側向きに変位する。
【００８６】
そこで、固定担当者Ｏ１はアンダーロープＵの全体が強く張られ、ネット外側向きに変位している間に、手前側先端部Ｕａと奥側先端部Ｕｂとを第２の支柱Ｐ２に緊縛することにより固定する。第２の先端部Ｕ２が固定された後、引手担当者Ｏ２，Ｏ３は引手部４を引くことを止める。強く張られた状態で第２の支柱Ｐ２に固定するため、引手部４を引くことを止めても、アンダーロープＵに対する第１の方向Ｘの張力は保持される。
【００８７】
各引手担当者Ｏ２，Ｏ３が引手部４，４を引くとき、固定担当者Ｏ１、第２の支柱Ｐ２、または、固定担当者Ｏ１及び第２の支柱Ｐ２の存在が作業の邪魔になる場合は、引手担当者Ｏ２，Ｏ３がそれぞれ第２の先端部Ｕ２及び第２の支柱Ｐ２から離れて競技用ネットの手前側又は奥側に立つ。すなわち、アンダーロープ張力負荷用具１は、平面視において中央部２ｃを頂点とし、ネット外側向きに開口するＶ字状を描くように配置される。
【００８８】
このとき、第２の先端部Ｕ２はネット外側向きに引っ張られるとともに、第１の引手担当者Ｏ２によって競技用ネット手前側向きに引っ張られ、かつ、第２の引手担当者Ｏ３によって競技用ネット奥側向きに引っ張られる。そのため、第２の先端部Ｕ２が競技用ネット手前側及び奥側のうちの何れかに変位してしまわないように、引手担当者Ｏ２,Ｏ３は、引手部４，４を引く際に、それぞれの力の入れ具合のバランスを保つ。
【００８９】
このような力の入れ具合のバランスが保たれるのであれば、前記のＶ字の中心線が平面視において競技用ネットＮの第１の方向Ｘにおける延長線上になくともよく、各引手担当者Ｏ２，Ｏ３の足場が悪いときなどには、競技用ネット手前側向きの角度と、競技用ネット奥側向きの角度とが異なっていてもよい。
【００９０】
ひばり結び解放工程Ｓ０６においては、第２の支柱Ｐ２側固定工程Ｓ０５にて固定担当者Ｏ１が第２の先端部Ｕ２を第２の支柱Ｐ２に固定し、かつ、引手担当者Ｏ２，Ｏ３が引手部４，４を引くことを止めた後、用具取付け工程Ｓ０４にて張力負荷用具本体２を第２の先端部Ｕ２に結び付けるために行ったひばり結びを解く。
【００９１】
操作者Ｏ１，Ｏ２，Ｏ３のうちの何れかの者は、図１０に示すように本体解放補助紐３のうちの本体接続部５以外の部分を手指で掴む。このとき、図３に示す補助紐さつま編み箇所３ｅを含む部分を掴んでもよい。
【００９２】
その上で、操作者Ｏ１，Ｏ２，Ｏ３は本体解放補助紐３を第２の先端部Ｕ２と結び付いている箇所から離れる向きに引く。これにより、図１１に示すように中央部２ｃを本体解放補助紐３を介してこの結び付き箇所から離れる向きに引っ張ることができ、次第に中央部２ｃと第２の先端部Ｕ２との間に通し穴Ｈが形成されるとともに、用具取付け工程Ｓ０４で行ったひばり結びを解くことができる。
【００９３】
このように、張力負荷用具本体２には予め本体解放補助紐３が接続されており、かつ、操作者Ｏ１，Ｏ２，Ｏ３が本体解放補助紐３を手指で掴み易いため、本体解放補助紐３を引くことにより容易にひばり結びを解くことができる。
【００９４】
なお、ひばり結び解放工程Ｓ０６における作業は、操作者Ｏ１，Ｏ２，Ｏ３のうちの一人だけによって行われる必要はなく、複数の者どうしが協力し合って行ってもよい。また、操作者Ｏ１，Ｏ２，Ｏ３以外の者が行ってもよい。
【００９５】
用具取外し工程Ｓ０７においては、ひばり結び解放工程Ｓ０６にてひばり結びを解いた後、図１１の状態からさらに本体解放補助紐３を引き、引手部４，４を含む張力負荷用具本体２の全体を通し穴Ｈに通過させる。これにより、アンダーロープ張力負荷用具１をアンダーロープＵから取り外す。
【００９６】
このとき、本体解放補助紐３を引き、張力負荷用具本体２を最後まで第２の先端部Ｕ２の周囲を一周させつつ通し穴Ｈを通過させる。また、最後まで本体解放補助紐３を引くことにより第２の先端部Ｕ２の周囲を一周させる以外に、途中で本体解放補助紐３を持つ手以外の手を通し穴Ｈにくぐらせて、引手部４，４を掴んで通し穴Ｈの通過を補助してもよい。
【００９７】
このように、張力補助用具本体２を通し穴Ｈに通過させることにより、容易にアンダーロープ張力負荷用具１をアンダーロープＵから取り外すことができる。
【００９８】
また、アンダーロープ張力負荷用具１をアンダーロープＵから取り外した後においても、アンダーロープＵに張力を負荷するための付属具などを第２の支柱Ｐ２と競技用ネットＮとの間に残すことなく、アンダーロープＵの張力を保持することができる。
【００９９】
以上のようなアンダーロープ張力負荷用具１を用いた競技用ネット張設方法Ｓ０１により実現される競技用ネット張設構造のため、アンダーロープ張力負荷用具１の取り外し後は、例えばプレー中に第２の支柱Ｐ２と競技用ネットＮとの間においてアンダーロープＵに張力を負荷するための付属具などが残存せず、選手は、プレーに際してそうした付属具などに触れることがない。
【０１００】
また、一組のアンダーロープ張力負荷用具１を用いて一方の競技用コートＣ１に張られる競技用ネットＮ１を張設した後に、この競技用ネットＮ１のアンダーロープＵから前記一組のアンダーロープ張力負荷用具１を取り外し、次に、前記一組のアンダーロープ張力負荷用具１を用いて他方の競技用コートＣ２に張られる競技用ネットＮ２を張設することができる。
【０１０１】
そのため、競技場、体育館等の施設の中に、複数面の競技用コートＣ１，Ｃ２が設置される場合でも、それぞれに張られる競技用ネットＮ１，Ｎ２に対して、一組のアンダーロープ張力負荷用具１を共用することができる。
【０１０２】
図１２〜図１６は本発明に係るアンダーロープ張力負荷用具、競技用ネット張設構造及び競技用ネット張設方法の第２の実施形態を例示している。図１２において１１は、アンダーロープＵに対して第１の方向Ｘの張力を負荷するためのアンダーロープ張力負荷用具である。
【０１０３】
アンダーロープ張力負荷用具１１は、張力負荷用具本体１２と本体解放補助紐１３と一対の延長具１６ａ，１６ｂとを備える。
【０１０４】
張力負荷用具本体１２は両端にそれぞれ引手部１４，１４を有する。また、張力負荷用具本体１２は、各引手部１４，１４がそれぞれスプリングフック１７，１７を介して延長具１６ａ，１６ｂと接続する。
【０１０５】
各延長具１６ａ，１６ｂは、図１３が示すようなロープ状であり、一端側にスプリングフック１７と接続するスプリングフック接続部１８を有し、かつ、他端側にグリップ部１９を有するとともに、グリップ部１９以外の部分が飽和ポリエステルなどの合成繊維を三つ撚りしたロープにより形成される。
【０１０６】
各延長具１６ａ，１６ｂは、一端がスプリングフック接続部１８において折り返し、折り返し後にさつま編み込みＥＳにより他端に近づく位置において合流する。各延長具１６ａ，１６ｂにおいてさつま編み込みＥＳがなされる箇所である延長具さつま編み込み箇所を図１３の符号１６ｅで表す。
【０１０７】
各スプリングフック１７，１７は、各引手部１４，１４がそれぞれ形成する第１の輪形１４ａ，１４ａの内側を貫通することができる。以下で図（図１５）を用いて説明するスプリングフック１７の可動部１７ａを開いて第１の輪形１４ａの内側を貫通させるとき、スプリングフック１７と引手部１４とが接続する。スプリングフック１７と引手部１４とが接続した後に、再び可動部１７ａを開いて第１の輪形１４ａから外すときは、スプリングフック１７が引手部１４から外される。
【０１０８】
スプリングフック接続部１８は、前記の折り返しにより第３の輪形１８ａを形成する。第３の輪形１８ａは、内側をスプリングフック１７が貫通する。これにより、スプリングフック接続部１８がスプリングフック１７と接続する。このとき、スプリングフック１７は第３の輪形１８ａの内側に遊嵌し、第３の輪形１８ａの中心線方向を自在に移動することができる。
【０１０９】
こうした構造により、各延長具１６ａ，１６ｂはそれぞれがスプリングフック１７，１７を介して張力負荷用具本体１２に対して脱着可能である。なお、スプリングフック１７、１７は環状接続体の一種である。
【０１１０】
グリップ部１９は、筒状であり、大人が手指によって握ることのできる程度の高さを有する。そのため、引手担当者Ｏ２，Ｏ３が一方の手によってグリップ部１９を掴むことにより、延長具１６ａ，１６ｂをその長手方向に容易に引くことができる。
【０１１１】
次に、図１４のフロー図により、競技用ネットＮの張設方法を示す。図１４においてＳ１１は、アンダーロープＵに対し第１の方向Ｘの張力を負荷する競技用ネット張設方法である。
【０１１２】
競技用ネット張設方法Ｓ１１は、順に、準備工程Ｓ１２、第１の支柱Ｐ１側固定工程Ｓ１３、用具取付け工程Ｓ１４、第２の支柱Ｐ２側固定工程Ｓ１５、ひばり結び解放工程Ｓ１６及び用具取外し工程Ｓ１７を含む。以下においては、第１の実施形態に対して追加されるステップを工程毎に説明する。それら以外のステップは、第１の実施形態と共通する。
【０１１３】
準備工程Ｓ１２においては、張力負荷用具本体１２と、張力負荷用具本体１２に予め接続された本体解放補助紐１３とに加え、一対の延長具１６ａ，１６ｂと、各延長具１６ａ，１６ｂに予め接続されたスプリングフック１７，１７とを準備する。
【０１１４】
準備工程Ｓ１２においては、未だスプリングフック１７，１７を引手部１４，１４に接続しない。
【０１１５】
用具取付け工程Ｓ１４においては、準備工程Ｓ１２において準備された張力負荷用具本体１２をアンダーロープＵに取り付け、その後に、各スプリングフック１７，１７をそれぞれ引手部１４，１４に接続する。これにより、各延長具１６ａ，１６ｂはそれぞれスプリングフック１７，１７を介して引手部１４，１４に接続される。
【０１１６】
すなわち、図１５に示すように、複数の操作者Ｏ１，Ｏ２，Ｏ３のうちの例えば一方の引手担当者Ｏ２がスプリングフック１７の可動部１７ａを開いて、スプリングフック１７を第１の輪形１４ａの内側に貫通させる。この後、可動部１７ａを閉じることにより、延長具１６ａはスプリングフック１７を介して引手部１４に接続される。接続後は可動部１７ａを閉じる。
【０１１７】
このように、アンダーロープ張力負荷用具１１をひばり結びによって第２の先端部Ｕ２に取り付けた後に延長具１６ａ，１６ｂを張力負荷用具本体１２に接続することができる。
【０１１８】
そのため、引手担当者Ｏ２，Ｏ３がアンダーロープ張力負荷用具１１を引くときの一端から他端までの長さが延長具１６ａ，１６ｂによって補われると同時に、張力負荷用具本体１２のひばり結びは、延長具１６ａ，１６ｂを接続していない状態で行うことができる。これにより、中央部１２ｃと第２の先端部Ｕ２とが構成する通し穴Ｈには、延長具１６ａ，１６ｂを通過させる必要がなく、容易にアンダーロープ張力負荷用具１１をアンダーロープＵに取り付けることができる。
【０１１９】
第２の支柱Ｐ２側固定工程Ｓ１５においては、用具取付け工程Ｓ１４により張力負荷用具本体１２がアンダーロープＵに取り付けられ、かつ、延長具１６ａ，１６ｂが引手部１４，１４に接続された状態で、図１６（ａ）に示すように、一方の延長具１６ａを第２の支柱Ｐ２に対して競技用ネット手前側に配置し、他方の延長具１６ｂを第２の支柱Ｐ２に対して競技用ネット奥側に配置する。
【０１２０】
また、各操作者Ｏ１，Ｏ２，Ｏ３は、固定担当者Ｏ１が第２の支柱Ｐ２のネット外側に立ち、一方の引手担当者Ｏ２が第２の支柱Ｐ２に対して競技用ネット手前側に立ち、かつ、他方の引手担当者Ｏ３が第２の支柱Ｐ２に対して競技用ネット奥側に立つように配置につく。
【０１２１】
固定担当者Ｏ１は第２の先端部Ｕ２を持つ。また、一方の引手担当者Ｏ２は一方の延長具１６ａのグリップ部１９を持ち、他方の引手担当者Ｏ３は他方の延長具１６ｂのグリップ部１９を持つ。
【０１２２】
このとき、各引手担当者Ｏ２，Ｏ３が、アンダーロープＵに対し第１の方向Ｘの張力を負荷するため、平面視において競技用ネットＮの第１の方向Ｘにおける延長線上で作業をしたのでは、前記延長線上に立設される第２の支柱Ｐ２及び第２の支柱Ｐ２のネット外側に立つ固定担当者Ｏ１が邪魔である。そのため、アンダーロープ張力負荷用具１１は、平面視において中央部１２ｃを頂点とし、かつ、ネット外側向きに開口するＶ字状を描くように配置される。
【０１２３】
ここで、もし延長具１６ａ，１６ｂを接続しない場合は、張力負荷用具本体１２の中央部１２ｃから両端までが短いと、たとえ前記Ｖ字状を描くように配置しても、各引手担当者Ｏ２，Ｏ３と第２の支柱Ｐ２又は固定担当者Ｏ１との距離が近く作業がし難い。
【０１２４】
これに対し、用具取付け工程Ｓ１４にて張力負荷用具本体１２のひばり結びを行った後に延長具１６ａ，１６ｂを接続することにより、通し穴Ｈに延長具１６ａ，１６ｂの長さ分を通過させる必要がなく、かつ、各引手担当者Ｏ２，Ｏ３が延長具１６ａ，１６ｂのグリップ部１９，１９を持って引くことができる。このように、中央部２ｃから各引手担当者Ｏ２，Ｏ３が持つ部分までの距離が延長されるので、各引手担当者Ｏ２，Ｏ３と第２の支柱Ｐ２又は固定担当者Ｏ１との距離を空けることができ作業がし易い。
【０１２５】
また、各引手担当者Ｏ２，Ｏ３の足場が悪いときなどには、平面視における前記延長線に対する延長具１６ａの競技用ネット手前側向きに開く角度と、延長具１６ｂの競技用ネット奥側向きに開く角度とを変えることにより、各引手担当者Ｏ２，Ｏ３の立ち位置を調整することができる。
【０１２６】
以上のように各操作者Ｏ１，Ｏ２，Ｏ３が配置についた状態で、各引手担当者Ｏ２，Ｏ３はグリップ１９，１９をネット外側向きに引く。これにより、中央部１２ｃを引手部１４，１４側から延長具１６ａ，１６ｂを介して結び目Ｕｋと共にネット外側に引っ張ることによりアンダーロープＵに第１の方向Ｘの張力を負荷する。
【０１２７】
図１６（ｂ）は、張力が負荷されることによってアンダーロープＵの全体が強く張られ、ネット外側向きに変位している間に、固定担当者Ｏ１が手前側先端部Ｕａ及び奥側先端部Ｕｂを第２の支柱Ｐ２に緊縛することにより固定した状態を示す。
【０１２８】
ひばり結び解放工程Ｓ１６においては、第２の支柱Ｐ２側固定工程Ｓ１５にて図１６（ｂ）のように第２の先端部Ｕ２を第２の支柱Ｐ２に固定し、かつ、引手担当者Ｏ２，Ｏ３がグリップ部１９，１９を引くことを止めた後、先ず用具取付け工程Ｓ１４にて張力負荷用具本体１２に接続された延長具１６ａ，１６ｂを取り外した上で、同じく用具取付け工程Ｓ１４にて張力負荷用具本体１２を第２の先端部Ｕ２に結び付けるために行ったひばり結びを解く。
【０１２９】
延長具１６ａ，１６ｂを取り外すには、接続時と同様にスプリングフック１７，１７の可動部１７ａ，１７ａを開いて、各スプリングフック１７，１７を両方の第１の輪形１４ａ，１４ａの内側から引き抜く。引き抜き後は各可動部１７ａ，１７ａを閉じる。これにより、スプリングフック１７，１７と、各スプリングフック１７，１７に接続される延長具１６ａ，１６ｂとが張力負荷用具本体１２から取り外される。
【０１３０】
以上の構成以外の構成は第１の実施形態と共通する。
【０１３１】
このように延長具１６ａ，１６ｂを取り外すことにより、次の用具取外し工程１７にては、延長具１６ａ，１６ｂを通し穴Ｈに通過させる必要がなく、張力負荷用具本体１２だけを通し穴Ｈに通過させればよい。これにより、容易にアンダーロープ張力負荷用具１１をアンダーロープＵから取り外すことができる。
【０１３２】
なお、各延長具１６ａ，１６ｂを張力負荷用具本体１２に接続するために、必ずしもスプリングフック１７，１７を用いる必要はなく、用具取付け工程Ｓ１５及びひばり結び解放工程Ｓ１７において各延長具１６ａ，１６ｂと張力負荷用具本体１２とを脱着自在に接続又は取外しすることができれば、例えば、ピンフック、リングキャッチ、チェーンキャッチ等の環状接続体を介して接続してもよい。
【０１３３】
また、各輪形１８ａ，１８ａを形成する際、折り返された張力負荷用具本体１２又は本体解放補助紐１３がさつま編み込みＥＳにより合流させなくても、輪形の崩れる虞が少ない他の方法により合流させてもよい。例えば、縫製、テープによる縛り付けなどにより合流させてもよい。
【０１３４】
以上、本発明の実施形態について説明したが、本発明はこれらの実施形態に限定されるものではなく、本発明の趣旨を逸脱しない範囲で種々の変更が可能である。
【０１３５】
例えば、張力負荷用具本体２，１２の直径が６ｍｍ以上、かつ、８ｍｍ未満であり、または、アンダーロープＵの直径が４ｍｍ以上、かつ、６ｍｍ未満である必要はなく、張力負荷用具本体２，１２がアンダーロープＵに堅固に結び付くことができれば、これらの範囲外の直径を有していてもよい。
【０１３６】
また、張力負荷用具本体２，１２、本体解放補助紐３，１３、または、延長具１６ａ，１６ｂは、飽和ポリエステルなどの合成繊維を三つ撚りしたロープにより形成される必要がない。アンダーロープＵに対する張力を負荷するための十分な強度があれば、例えば、綿などの天然素材を使用したロープにより形成されてもよく、また、金剛打ち編みなどの三つ撚り以外の方法により製作されるロープにより形成されてもよい。
【０１３７】
さらに、張力負荷用具本体２，１２、本体解放補助紐３，１３、または、延長具１６ａ，１６ｂは、必ずしもロープにより形成される必要がなく、相手方との取付け及び取外しが容易であれば他の形状の紐状具でもよい。例えば、テープ、ベルト等により形成されてもよい。
【０１３８】
競技用コートＣ及び競技用ネットＮはバレーボール又はバドミントンのために用いられるものに限らず、例えば第３の方向Ｚにおける競技用コートＣから下辺Ｎｕまでの距離が短く、テニスのような運動競技に用いられるものでもよい。
【産業上の利用可能性】
【０１３９】
本発明は、競技用ネットを張設するための、アンダーロープに対する張力の負荷に用いることができる。
【符号の説明】
【０１４０】
１，１１        アンダーロープ張力負荷用具
２，１２        張力負荷用具本体
２ｃ，１２ｃ    中央部
２ｅ            本体さつま編み込み箇所
３，１３        本体解放補助紐
３ｅ            補助紐さつま編み込み箇所
４，１４        引手部
５，１５        本体接続部
１６ａ，１６ｂ  延長具
１６ｅ          延長具さつま編み込み箇所
１７            スプリングフック（環状接続体）
１８            スプリングフック接続部
１９            グリップ部
Ｃ              競技用コート
Ｎ              競技用ネット
上辺            Ｎｔ
下辺            Ｎｕ
Ｏ１            固定担当者（操作者）
Ｏ２，Ｏ３      引手担当者（操作者）
Ｐ１            第１の支柱
Ｐ２            第２の支柱
Ｕ              アンダーロープ
Ｕ１            第１の先端部
Ｕ２            第２の先端部
Ｕｋ            結び目
Ｓ０１，Ｓ１１  競技用ネット張設方法
Ｓ０２，Ｓ１２  準備工程
Ｓ０３，Ｓ１３  第１の支柱Ｐ１側固定工程（他端側固定工程）
Ｓ０４，Ｓ１４  用具取付け工程
Ｓ０５，Ｓ１５  第２の支柱Ｐ２側固定工程（一端側固定工程）
Ｓ０６，Ｓ１６  ひばり結び解放工程
Ｓ０７，Ｓ１７  用具取外し工程
【図１】
2019097966.tif 000003
【図２】
2019097966.tif 000004
【図３】
2019097966.tif 000005
【図４】
2019097966.tif 000006
【図５】
2019097966.tif 000007
【図６】
2019097966.tif 000008
【図７】
2019097966.tif 000009
【図８】
2019097966.tif 000010
【図９】
2019097966.tif 000011
【図１０】
2019097966.tif 000012
【図１１】
2019097966.tif 000013
【図１２】
2019097966.tif 000014
【図１３】
2019097966.tif 000015
【図１４】
2019097966.tif 000016
【図１５】
2019097966.tif 000017
【図１６】
2019097966.tif 000018
【図１７】
2019097966.tif 000019
【図１８】
2019097966.tif 000020